(57)【要約】      （修正有）【課題】花火装置に関し、特に、使用後の後片付けが簡単な花火装置を提供する。【解決手段】開口２１０及び中空部２１１を有する発射筒２１と、木材により形成され前記中空部２１１の下方に設けられた底部層２２と、前記底部層２２上に積層するように前記中空部２１１内に充填された火薬層２４と、前記火薬層２４を封止するように前記中空部内に設けられた封止層２５と、を有する複数の花火ユニット２を構成する。前記複数の花火ユニット２の前記火薬層２４に連接する導火線３、ならびに、前記複数の花火ユニット２を、それぞれの開口２１０を上方に向けて連結するように前記複数の花火ユニット２の各発射筒２１の一側に固定された第１連結板４１と、前記各発射筒２１の他側に固定された第２連結板４２と、を有する連結ユニット４、を備える。【選択図】図３
0003165473.tif 000002
【実用新案登録請求の範囲】
【請求項１】
開口及び中空部を有する発射筒と、木材により形成され前記中空部の下方に設けられた底部層と、前記底部層上に積層するように前記中空部内に充填された火薬層と、前記火薬層を封止するように前記中空部内に設けられた封止層と、を有する複数の花火ユニットと、
前記複数の花火ユニットの前記火薬層に連接する導火線と、
前記複数の花火ユニットを、それぞれの開口を上方に向けて連結するように前記複数の花火ユニットの各発射筒の一側に固定された第１連結板と、前記各発射筒の他側に固定された第２連結板と、を有する連結ユニットと、
を備えていることを特徴とする花火装置。
【請求項２】
前記連結ユニットは、前記複数の花火ユニットを等角度に隔てた扇状に配列可能にしていることを特徴とする請求項１に記載の花火装置。
【請求項３】
前記花火ユニットはそれぞれ、前記底部層を前記発射筒内に固定する止め具を有することを特徴とする請求項１に記載の花火装置。
【請求項４】
前記花火ユニットの前記発射筒は、紙材で形成されていることを特徴とする請求項１に記載の花火装置。
【請求項５】
前記連結ユニットの前記第１連結板と前記第２連結板とは、紙材で形成されていることを特徴とする請求項１に記載の花火装置。
【請求項６】
前記導火線は、前記各発射筒に延伸し前記火薬層内に挿入される複数の導火部と、前記導火部から離れた点火部と、を有することを特徴とする請求項１に記載の花火装置。
【考案の詳細な説明】
【技術分野】
【０００１】
本考案は花火装置に関し、特に、使用後の後片付けが簡単な花火装置に関する。
【背景技術】
【０００２】
花火は、火薬を爆発、燃焼させ、飛び散る火花の色や形を観賞するものである。図４に示すように、従来の花火装置の一例として、中空状の基台１１と、互いに間隔を置いて基台１１に取り付けられた複数の花火ユニット１２と、各花火ユニット１２にそれぞれ連結する導火線１３と、を備えているものがある。基台１１は、水平に設けられた上板１１１と、花火ユニット１２を差し込めるように上板１１１に互いに間隔をおいて設けられた複数の差込孔１１２と、を有する。各花火ユニット１２は、差込孔１１２に差し込まれることによって基台１１に対して直立する中空状の発射筒１２１と、発射筒１２１内において下から上へ順に積まれるラテライトにより形成された底部層１２２と、火薬等を詰めた火薬層１２３と、火薬層１２３を定位する封口層１２４とを有する。また、導火線１３の先端は、各花火ユニット１２の火薬層１２３に連結している。この花火装置は、使用時において、導火線１３の末端部に点火されると、火薬層１２３に引火し、上空に花火を発射する。
【考案の概要】
【考案が解決しようとする課題】
【０００３】
しかしながら、火薬層１２３に引火して花火が上空に発射される際、底部層１２２が発射の反動による衝撃を受け、その衝撃で粉砕することがある。そのため、現場には基台１１及び発射筒１２１以外にも、底部層１２２が粉砕してラテライトが大量に残る場合があり、雨が降ったり、掃除のために水を散布して地面を濡らすと、ラテライトが水分と混ざって柔らかくなってぬかるみ、非常に掃除しにくくなる。
【０００４】
本考案は、使用後の後片付けが簡単な花火装置を提供することを目的とする。
【課題を解決するための手段】
【０００５】
上記目的を達成するために、本考案は、それぞれが開口及び中空部を有する発射筒と、木材により形成され、中空部の下方に設けられた底部層と、底部層上に積層するように中空部内に充填された火薬層と、火薬層を封止するように中空部内に設けられた封止層と、を有する複数の花火ユニット、複数の花火ユニットの火薬層に連接する導火線、ならびに、複数の花火ユニットをそれぞれの開口を上方に向けて連結するように各発射筒の一側に固定された第１連結板と、各発射筒の他側に固定された第２連結板と、を有する連結ユニット、を備えている花火装置を提供する。
【０００６】
連結ユニットは、複数の花火ユニットを等角度に隔てた扇状に配列可能にしていることが好ましい。
【０００７】
花火ユニットはそれぞれ、発射筒内に底部層を固定する止め具を有することが好ましい。  
【０００８】
花火ユニットの発射筒は、紙材で形成されていることが好ましい。
【０００９】
連結ユニットの第１連結板と第２連結板とは、紙材で形成されていることが好ましい。
【００１０】
導火線は、各発射筒に延伸し火薬層内に挿入される導火部と、導火部から離れた点火部と、を有することが好ましい。
【考案の効果】
【００１１】
本考案の花火装置によれば、底部層が木材から形成されており、火薬層の発射による衝撃を受けてもばらばらにならず、地面に散乱することがないので使用後の片付けが簡単にできる。
【図面の簡単な説明】
【００１２】
【図１】本考案の実施形態である花火装置の斜視図である。
【図２】図１の花火装置における正面図である。
【図３】図１の花火装置における一部断面図である。
【図４】従来例の花火装置における一部の断面を示す斜視図である。
【考案を実施するための形態】
【００１３】
以下、本考案の実施形態を図面に基づいて説明する。なお、同一構成及び機能を有する構成要素については、同一番号を付してその説明を省略する。
【００１４】
図１〜図３に示されるように、本考案の実施形態の花火装置は、複数の花火ユニット２と、複数の花火ユニット２に連接する導火線３と、複数の花火ユニット２を連結する連結ユニット４と、を備える。
【００１５】
各花火ユニット２は、図３に示されるように、開口２１０及び中空部２１１を有する発射筒２１と、中空部２１１の下方に設けられた底部層２２と、底部層２２を発射筒２１内に固定する止め具２３と、底部層２２上に積層するように中空部２１１内に充填された火薬層２４と、火薬層２４を封止するように中空部２１１内に設けられた封止層２５と、を有する。
【００１６】
発射筒２１は、紙材により形成された中空状の円筒体である。底部層２２は、発射筒２１内に嵌合する円盤状のものであり、木材により内部に空洞ができないように形成され、それにより、発射時の爆発の衝撃に耐えることができるようになっている。止め具２３は、木材または竹材により形成された棒状のものであり、発射筒２１の径方向から発射筒２１を介して底部層２２に挿入することにより、底部層２２を発射筒２１内に固定する。封止層２５は、プラスチック材により蓋として形成されたものであり、発射筒２１の長手方向に沿った断面が上方に開口したＵ字型をし、火薬層２４を定位するために用いられる。
【００１７】
また、複数の花火ユニット２は、図１及び図２に示されるように、互いに隣り合い、それぞれの開口２１０を上方に向け、それぞれが等角度を隔てた扇状に配列されている。但し、配列の角度及び距離は本実施形態に限定されない。
【００１８】
導火線３は、それぞれの発射筒２に延伸し火薬層２４内に挿入される複数の導火部３１と、導火部３１から離れた点火部３２と、を有し、複数の花火ユニット２の火薬層２４に連接している。使用時において、導火線３は、点火部３２が点火されると火薬層２４に引火することができるように構成されている。また、使用時に導火部３１が火薬層２４から脱離しないように、導火部３１を、粘着テープまたは紙片などの結合具３３で発射筒２１上に固定させるようにしてもよい。なお、本考案の導火線３の連接構造は、本実施形態に限られるものではないが、本考案の要点ではないので、他の形態についての説明は省略する。
【００１９】
連結ユニット４は、連続した複数の発射筒２１の前側に貼り付けられた第１連結板４１と、連続した複数の複数の発射筒２１の後側に貼り付けられた第２連結板４２と、連結した複数の発射筒２１の左右両側にそれぞれ貼り付けられて第１連結板４１と第２連結板４２とにそれぞれ接続する２枚の接続板４３と、を有する。本実施形態において、接続ユニット４は、第１連結板４１と第２連結板４２との間で、複数の花火ユニット２を等間隔に隔てた扇状に配列して結合するように、第１連結板４１と第２連結板４２とを複数の発射筒２１の前後に貼り付けることによって花火ユニット２を定位することができる。また、第１連結板４１、第２連結板４２、及び２枚の接続板４３は、全て紙材で形成されているが、他の実施形態においては、これらを合わせて１枚の紙材で形成しても良い。
【００２０】
花火装置は、使用時において、導火線３の点火部３２が点火されると、導火線３の配線に沿って導火部３１を経由して火薬層２４に引火し、火薬層２４が爆発または間隔をおいて飛び出すように燃焼して発射筒２１の上空に発射されるように構成されている。
【００２１】
上述のように、本考案の花火装置は、底部層２２が木材により形成されているため、火薬層の引火による発射の衝撃を受けてもばらばらにならず、外部に落ちても地面に散乱することがないので、従来の花火装置のように現場に大量の残骸を残すことがなく、使用後の後片付けが簡単になる。更に、発射筒２１、底部層２２、止め具２３、及び連結ユニット４は全て可燃性の紙材、木材または竹材により形成されており、底部層２２も木材により形成されているため、処分する際に従来例のように材質によって分別する必要がなくなり、更に後片付けしやすくなる。
【００２２】
以上のように本考案の好適な実施形態について説明したが、本考案は上述の実施形態に限られるものではなく、本考案の要旨を逸脱しない範囲の配列や形態も含まれる。
【符号の説明】
【００２３】
２  花火ユニット
２１０  開口
２１  発射筒
２１１  中空部
２２  底部層
２３  止め具
２４  火薬層
２５  封止層
３  導火線
３１  導火部
３２  点火部
３３  結合具
４  連結ユニット
４１  第１連結板
４２  第２連結板
４３  接合板
【図１】
0003165473.tif 000003
【図２】
0003165473.tif 000004
【図３】
0003165473.tif 000005
【図４】
0003165473.tif 000006